(57)【要約】【課題】タイム撮影時の無駄な露光を止めるようにした電子カメラを得る。【解決手段】電子カメラは、リモコン撮影モードとバルブ設定との双方が設定された場合にタイム動作を行う。タイム動作は通常、リモコン装置１０９からの操作信号によって露光を開始し、リモコン装置１０９からの次の操作信号によって露光を終了する。電子カメラにリモコン制限時間ＴＲを設け、露光開始後にリモコン装置１０９から次の操作信号が送信される前であっても、計時時間ｔがリモコン制限時間ＴＲに達すると露光を終了する。リモコン制限時間ＴＲは、撮像素子１０２の出力信号が飽和レベルに達しない範囲で暗電流による蓄積電荷を最大にする時間である。【選択図】図１
2005020387.tif 000002
【特許請求の範囲】
【請求項１】
被写体像を撮像して画素に対応する信号を出力する撮像素子と、
第１の操作信号に応じて前記撮像素子に露光を開始させる露光開始指示手段と、
前記第１の操作信号の後に第２の操作信号が入力されるとき、および前記露光開始後の経過時間が前記撮像素子の特性により決定される所定時間に達するときのいずれか早い方に応じて、前記撮像素子に露光を終了させる露光終了指示手段とを備えることを特徴とする電子カメラ。
【請求項２】
請求項１に記載の電子カメラにおいて、
前記露光開始指示手段は、前記所定時間に達する方が早い場合に、前記第２の操作信号を無効にすることを特徴とする電子カメラ。
【請求項３】
請求項１に記載の電子カメラにおいて、
前記露光開始指示手段は、前記所定時間に達する方が早い場合に、前記第２の操作信号に応じて前記撮像素子に次コマの露光を開始させ、
前記露光終了指示手段は、前記第２の操作信号の次の第３の操作信号が入力されるとき、および前記次コマの露光開始後の経過時間が前記所定時間に達するときのいずれか早い方に応じて、前記撮像素子に露光を終了させることを特徴とする電子カメラ。
【請求項４】
請求項１〜３のいずれかに記載の電子カメラにおいて、
前記所定時間は、前記撮像素子が遮光された状態において前記画素に対応する信号が当該撮像素子の出力飽和レベルを超えないようにあらかじめ決定されていることを特徴とする電子カメラ。
【請求項５】
請求項４に記載の電子カメラにおいて、
前記所定時間はさらに、前記撮像素子の使用温度範囲および前記撮像素子の設定撮像感度範囲の少なくとも一方に応じてあらかじめ決定されていることを特徴とする電子カメラ。
【請求項６】
請求項４に記載の電子カメラにおいて、
前記撮像素子の温度を検出する温度検出手段と、
前記温度検出手段による検出温度および前記撮像素子に設定される撮像感度の少なくとも一方に応じて前記所定時間を変更する所定時間変更手段とをさらに備えることを特徴とする電子カメラ。
【請求項７】
請求項１〜６のいずれかに記載の電子カメラにおいて、
時間表示を行う時間表示手段と、
前記露光開始後の経過時間もしくは前記所定時間の残り時間を前記時間表示手段に表示させる表示制御手段とをさらに備えることを特徴とする電子カメラ。
【発明の詳細な説明】
【０００１】
【発明の属する技術分野】
本発明は、撮像素子などによって撮像した画像データを記録する電子カメラにに関する。
【０００２】
【従来の技術】
リモコン信号を受信することによって露光を開始し、その後のリモコン信号を受信することによって露光を終了する、いわゆる「タイム撮影」を行うカメラが知られている（特許文献１参照）。また、特許文献２には、露光を開始した後のリモコン信号を受信しなくても、露光開始後所定時間を経過すると露光を終了するカメラが開示されている。
【０００３】
【特許文献１】
特開平３−１５８８３９号公報
【特許文献２】
特開平１１−２１２１７７号公報
【０００４】
【発明が解決しようとする課題】
ＣＣＤイメージセンサに代表される固体撮像素子は、電子カメラなどに広く使用されている。ＣＣＤイメージセンサは、画素に対応するフォトダイオードへ入射される光量に応じて信号電荷を蓄積する。蓄積される電荷量は、入射光の強さおよび露光時間に応じて大きくなる。一方、フォトダイオードには入射光の有無に関係なく流れる暗電流が存在する。したがって、上述したタイム撮影のように露光時間が長い場合には、暗電流によって蓄積される信号電荷が無視できなくなる。すなわち、露光開始後のリモコン信号を受信する前（露光終了前）に、信号電荷がオーバーフローするおそれが生じてしまう。信号電荷がオーバーフローした状態でさらに露光を続けることは無意味である。
【０００５】
本発明は、いわゆるタイム撮影時の無駄な露光を止めるようにした電子カメラを提供するものである。
【０００６】
【課題を解決するための手段】
本発明による電子カメラは、被写体像を撮像して画素に対応する信号を出力する撮像素子と、第１の操作信号に応じて撮像素子に露光を開始させる露光開始指示手段と、第１の操作信号の後に第２の操作信号が入力されるとき、および露光開始後の経過時間が撮像素子の特性により決定される所定時間に達するときのいずれか早い方に応じて、撮像素子に露光を終了させる露光終了指示手段とを備えることを特徴とする。
請求項１に記載の電子カメラにおいて、所定時間に達する方が早い場合に第２の操作信号を無効にするように、露光開始指示手段を構成してもよい。
請求項１に記載の電子カメラにおいて、所定時間に達する方が早い場合に第２の操作信号に応じて撮像素子に次コマの露光を開始させるように露光開始指示手段を構成してもよく、この場合の露光終了指示手段は、第２の操作信号の次の第３の操作信号が入力されるとき、および次コマの露光開始後の経過時間が所定時間に達するときのいずれか早い方に応じて、撮像素子に露光を終了させることもできる。
上記電子カメラにおいて所定時間は、撮像素子が遮光された状態において画素に対応する信号が当該撮像素子の出力飽和レベルを超えないようにあらかじめ決定されているとよい。さらにまた、撮像素子の使用温度範囲および撮像素子の設定撮像感度範囲の少なくとも一方に応じてあらかじめ決定されているとよい。電子カメラはさらに、撮像素子の温度を検出する温度検出手段と、温度検出手段による検出温度および撮像素子に設定される撮像感度の少なくとも一方に応じて所定時間を変更する所定時間変更手段とを備えてもよい。
上記電子カメラはさらに、時間表示を行う時間表示手段と、露光開始後の経過時間もしくは所定時間の残り時間を時間表示手段に表示させる表示制御手段とを備えてもよい。
【０００７】
【発明の実施の形態】
以下、図面を参照して本発明の実施の形態を説明する。
図１は、本発明の一実施の形態による電子カメラの構成を示すブロック図である。図１において、演算回路１０１は、マイクロコンピュータなどによって構成される。演算回路１０１は、後述する各ブロックから出力される信号を入力して所定の演算を行い、演算結果に基づいて制御信号を各ブロックへ出力する。撮像素子１０２は、ＣＣＤイメージセンサなどによって構成される。撮像素子１０２は、撮影レンズＬを通過した被写体光による像を撮像し、撮像信号をＡ／Ｄ変換回路１０３へ出力する。
【０００８】
Ａ／Ｄ変換回路１０３は、アナログ撮像信号をディジタル信号に変換する。撮像素子１０２およびＡ／Ｄ変換回路１０３は、タイミング回路１０４から出力される駆動信号によって所定の動作タイミングで駆動される。
【０００９】
撮像信号処理回路を構成するＡＳＩＣ１０５は、ディジタル変換後の信号に所定の画像処理を行う。画像処理は、ホワイトバランス（ＷＢ）調整処理、画像データを所定の形式（たとえば、ＪＰＥＧ）で圧縮する圧縮処理、圧縮処理後のデータを伸長する伸長処理を含む。バッファメモリ１０６は、ＡＳＩＣ１０５によって信号処理された画像データを逐次入力し、当該データを一時的に格納する。記録媒体１０７は、着脱可能なフラッシュメモリなどによって構成される。記録媒体１０７は、バッファメモリ１０６に一時格納されている画像データを記録する。
【００１０】
レリーズスイッチＳＷ１は、不図示のレリーズボタンの押し下げに連動してレリーズ操作信号を演算回路１０１へ出力する。スイッチＳＷ２は、不図示の動作モードボタンの押し下げ操作に連動して操作信号を演算回路１０１へ出力する。演算回路１０１は、動作モードボタンが押し下げ操作されている間に不図示のメインコマンドダイヤルが回転操作されると、操作に応じて「１コマ撮影モード」、「連続撮影モード」、および「リモコン撮影モード」のいずれかを選択する。
【００１１】
１コマ撮影モードは、レリーズボタン（不図示）１回の押下によって１回の撮影を行う動作モードである。連続撮影モードは、レリーズボタン（不図示）が押下されている間に撮影動作を繰り返し行う動作モードである。リモコン撮影モードは、後述するリモコン装置１０９からの操作信号に応じて撮影を行う動作モードである。
【００１２】
スイッチＳＷ３は、不図示の感度ボタンの押し下げ操作に連動して操作信号を演算回路１０１へ出力する。演算回路１０１は、感度ボタンが押し下げ操作されている間に不図示のメインコマンドダイヤルが回転操作されると、操作に応じて撮像感度をＩＳＯ２００相当〜ＩＳＯ１６００相当の範囲で所定のステップで設定する。撮像感度は、撮像素子１０２に蓄積される信号電荷の検出感度、もしくは不図示の増幅回路の増幅利得を変化させる被制御量のことをいう。撮像感度は、相当するＩＳＯ感度値で示される。
【００１３】
スイッチＳＷ４およびスイッチＳＷ５は、不図示のメインコマンドダイヤルの回転操作に応じて回転方向および回転量を示す操作信号を演算回路１０１へ出力する。演算回路１０１は、両スイッチからの信号の位相関係によって回転方向を検出し、信号パルス数によって回転量（ダイヤル操作量）を検出する。演算回路１０１は、メインコマンドダイヤルのみが操作されると、操作に応じてシャッタ速度を１／１０００秒〜１秒の範囲で所定のステップで設定したり、バルブ設定したりする。バルブ設定は、レリーズボタン（不図示）押下げられている間はシャッタを開き続けるものである。
【００１４】
スイッチＳＷ６およびスイッチＳＷ７は、不図示のサブコマンドダイヤルの回転操作に応じて回転方向および回転量を示す操作信号を演算回路１０１へ出力する。演算回路１０１は、両スイッチからの信号の位相関係によって回転方向を検出し、信号パルス数によって回転量（ダイヤル操作量）を検出する。演算回路１０１は、サブコマンドダイヤルのみが操作されると、操作に応じて絞り値をＦ２．８〜Ｆ２２の範囲で所定のステップで設定する。なお、本実施の形態による撮影レンズＬの開放絞りはＦ２．８であり、最小口径絞りはＦ２２とする。
【００１５】
リモコン受光部１０８は、リモコン装置１０９から送信される操作信号を受信し、この操作信号を演算回路１０１へ出力する。リモコン受光部１０８による演算回路１０１への信号出力は、演算回路１０１が出力するリセットコマンドを受信するまで継続される。リモコン受光部１０８は、演算回路１０１から電源供給されているときにのみ、以上の動作を行うように構成されている。したがって、演算回路１０１は、電子カメラがリモコン操作される場合にリモコン受光部１０８へ電源供給を行い、リモコン操作されない場合はリモコン受光部１０８への電源供給を停止する。
【００１６】
測光装置１１０は、撮影レンズＬを透過した光量を検出し、検出信号を演算回路１０１へ出力する。測光装置１１０は、光電変換素子を含むＩＣによって構成され、光量検出信号の他に絶対温度に比例する電圧信号Ｖｒｅｆを出力する。演算回路１０１は、電圧信号Ｖｒｅｆの電圧値を次式（１）に代入することにより、カメラ内の温度θ（単位は℃）を算出する。
【数１】
θ＝（Ｖｒｅｆ／Ｖ０）×２９８−２７３                  （１）
ただし、Ｖ０は温度２５℃の場合の基準電圧であり、あらかじめ演算回路１０１に記憶されている。
【００１７】
表示装置１１１は、演算回路１０１の指令により設定されている動作モード、露出の状態（オーバーもしくはアンダー）、適正露出からの偏差、設定シャッタ速度、設定絞り値、設定感度などを表示する。設定シャッタ速度には上述したバルブ設定を含む。電子カメラにリモコン撮影モード設定、およびバルブ設定の双方が行われると、演算回路１０１は、設定シャッタ速度の代わりにタイムを示す表示を行うように表示装置１１１に指令を送る。タイム設定は、操作信号に応じてシャッタを開き、次の操作信号に応じてシャッタを閉じるものである。
【００１８】
モータ駆動回路１１２は、演算回路１０１の指令によってシーケンスモータ１１３を駆動制御する。シーケンススイッチＳＷ８は、不図示のシーケンス駆動装置を構成し、シーケンスモータ１１３のブレーキ制御タイミングなどを発生するスイッチである。シーケンスモータ１１３は、不図示のシーケンス駆動装置を構成し、不図示のミラーのアップ／ダウン、不図示の絞りの駆動、およびシャッタ１１５のチャージなどを行う。シャッタ駆動回路１１４は、シャッタ１１５の不図示の先幕および後幕の保持および解除をそれぞれ制御する。
【００１９】
絞り位置検出装置１１６は、絞り値に対応する絞り位置を検出して検出信号を演算回路１０１に出力する。絞り係止装置１１７は、駆動中の絞りを係止し、所定の絞り値で絞りを停止させる。
【００２０】
本発明は、上述した電子カメラでリモコン撮影モード設定、およびバルブ設定の双方が行われた場合の動作に特徴を有する。
【００２１】
本実施の形態による電子カメラの演算回路１０１で行われるカメラ動作の処理の流れについて、図２のフローチャートを参照して説明する。図２のフローチャートによるプログラムは、電子カメラに不図示の電池が装填されると起動する。図２のステップＳ１において、演算回路１０１は以下の初期設定を行う。すなわち、バルブフラグＢを０に、リモコンフラグＲを０に、モードパラメータＤを１に、シャッタ速度ＴＶを７に、絞り値ＡＶを５に、撮像感度ＳＶを６に、それぞれセットしてステップＳ２へ進む。
【００２２】
ここで、フラグＢは電子カメラのシャッタ速度が１秒より低速に、すなわちバルブ設定された場合に１にされ、シャッタ速度がバルブ設定されない場合に０にされるフラグである。フラグＲは、演算回路１０１がリモコン受光部１０８へ電源供給するとき１に、電源供給しないとき０にされるフラグである。モードパラメータＤは、電子カメラが１コマ撮影モードに設定されると１に、連続撮影モードに設定されると２に、リモコン撮影モードに設定されると３に、それぞれセットされるフラグである。
【００２３】
シャッタ速度ＴＶ、絞り値ＡＶ、および撮像感度ＳＶはアペックス値が用いられる。本実施の形態によるカメラのシャッタ速度ＴＶの設定範囲は０（１秒）〜ＴＶ＝１０（１／１０００秒）である。本実施の形態によるカメラの絞り値ＡＶの設定範囲は３（Ｆ２．８）〜９（Ｆ２２）である。本実施の形態によるカメラの撮像感度ＳＶの設定範囲は６（ＩＳＯ２００相当）〜９（ＩＳＯ１６００相当）である。
【００２４】
ステップＳ２において、演算回路１０１は、設定処理を行ってステップＳ３へ進む。設定処理の詳細については後述する。ステップＳ３において、演算回路１０１は、フラグＲ＝１か否かを判定する。演算回路１０１は、Ｒ＝１（リモコン受光部１０８へ電源供給中）の場合にステップＳ３を肯定判定してステップＳ４へ進み、Ｒ＝０（リモコン受光部１０８へ電源供給停止中）の場合にステップＳ３を否定判定してステップＳ７へ進む。
【００２５】
ステップＳ４において、演算回路１０１は、モードパラメータＤが３か否かを判定する。演算回路１０１は、Ｄ＝３（リモコン撮影モード）の場合にステップＳ４を肯定判定してステップＳ１０へ進み、Ｄ≠３の場合にステップＳ４を否定判定してステップＳ５へ進む。
【００２６】
ステップＳ５において、演算回路１０１は、フラグＲを０にセットしてステップＳ６へ進む。ステップＳ６において、演算回路１０１は、リモコン受光部１０８への電源供給を停止してステップＳ１０へ進む。
【００２７】
ステップＳ７において、演算回路１０１は、モードパラメータＤ＝３か否かを判定する。演算回路１０１は、Ｄ＝３（リモコン撮影モード）の場合にステップＳ７を肯定判定してステップＳ８へ進み、Ｄ≠３の場合にステップＳ７を否定判定してステップＳ１０へ進む。ステップＳ８において、演算回路１０１は、フラグＲを１にセットしてステップＳ９へ進む。ステップＳ９において、演算回路１０１は、リモコン受光部１０８への電源供給を開始してステップＳ１０へ進む。
【００２８】
ステップＳ１０において、演算回路１０１は、測光装置１１０から入力される検出信号によってレンズ透過光量（ＢＶ−３）を検出してステップＳ１１へ進む。なお、ＢＶは被写体輝度である。ＢＶから３を減じるのは、開放Ｆ値２．８（ＡＶ＝３）の撮影レンズＬを通して検出しているためである。
【００２９】
ステップＳ１１において、演算回路１０１は、露出演算処理を行ってステップＳ１２へ進む。露出演算処理の詳細については後述する。ステップＳ１２において、演算回路１０１は、表示装置１１１に対する表示処理を行ってステップＳ１３へ進む。表示処理の詳細については後述する。
【００３０】
ステップＳ１３において、演算回路１０１は、フラグＲ＝１か否かを判定する。演算回路１０１は、Ｒ＝１（リモコン受光部１０８へ電源供給中）の場合にステップＳ１３を肯定判定してステップＳ１４へ進み、Ｒ＝０（リモコン受光部１０８へ電源供給停止中）の場合にステップＳ１３を否定判定してステップＳ１６へ進む。
【００３１】
ステップＳ１４において、演算回路１０１は、リモコン受光部１０８によってリモコン装置１０９から送信された操作信号が受信されたか否かを判定する。演算回路１０１は、リモコン受光部１０８から出力信号が入力されるとステップＳ１４を肯定判定してステップＳ１５へ進み、リモコン受光部１０８から信号入力がない場合にステップＳ１４を否定判定し、ステップＳ２へ戻る。
【００３２】
ステップＳ１５において、演算回路１０１は、リモコン受光部１０８へリセットコマンドを出力し、出力信号をリセットさせてステップＳ１７へ進む。
【００３３】
ステップＳ１６において、演算回路１０１は、レリーズスイッチＳＷ１がＯＮ操作されたか否かを判定する。演算回路１０１は、レリーズスイッチＳＷ１から操作信号が入力された場合にステップＳ１６を肯定判定してステップＳ１７へ進み、レリーズスイッチＳＷ１から操作信号が入力されない場合にステップＳ１６を否定判定してステップＳ２へ戻る。
【００３４】
ステップＳ１７において、演算回路１０１は、レリーズシーケンス処理を行ってステップＳ１８へ進む。レリーズシーケンス処理の詳細については後述する。ステップＳ１８において、演算回路１０１は、モードパラメータＤ＝１か否かを判定する。演算回路１０１は、Ｄ＝１（１コマ撮影モード）の場合にステップＳ１８を肯定判定してステップＳ１９へ進み、Ｄ≠１の場合にステップＳ１８を否定判定してステップＳ２へ戻る。
【００３５】
ステップＳ１９において、演算回路１０１は、レリーズスイッチＳＷ１がＯＦＦ操作されたか否かを判定する。演算回路１０１は、レリーズスイッチＳＷ１から操作信号が入力されなくなった場合にステップＳ１９を肯定判定してステップＳ２へ戻り、レリーズスイッチＳＷ１から操作信号が継続して入力されている場合は、ステップＳ１９を否定判定して判定処理を繰り返す。
【００３６】
設定処理の詳細について、図３および図４のフローチャートを参照して説明する。ステップＳ１０１において、演算回路１０１は、動作モードボタン（不図示）が押下されているか否かを判定する。演算回路１０１は、スイッチＳＷ２から操作信号が入力されている場合にステップＳ１０１を肯定判定してステップＳ１０２へ進み、操作信号が入力されていない場合にステップＳ１０１を否定判定してステップＳ１１２へ進む。
【００３７】
ステップＳ１０２において、演算回路１０１は、不図示のメインコマンドダイヤルが反時計回転の方向に回転操作されているか否かを判定する。演算回路１０１は、スイッチＳＷ４およびスイッチＳＷ５からの入力信号が反時計方向の回転を示す場合にステップＳ１０２を肯定判定してステップＳ１０３へ進み、入力信号が反時計方向の回転を示さない場合にはステップＳ１０２を否定判定してステップＳ１０８へ進む。
【００３８】
ステップＳ１０３において、演算回路１０１は、モードパラメータＤ＝３か否かを判定する。演算回路１０１は、Ｄ＝３の場合にステップＳ１０３を肯定判定してステップＳ１０５へ進み、Ｄ≠３の場合にステップＳ１０３を否定判定してステップＳ１０４へ進む。
【００３９】
ステップＳ１０４において、演算回路１０１は、Ｄに１を加えるとともに、加算後のモードパラメータＤに対応する動作モードに設定変更してステップＳ１０６へ進む。ステップＳ１０５において、演算回路１０１は、Ｄを１にセットするとともに、動作モードを１コマ撮影モードに設定変更してステップＳ１０６へ進む。以上説明したように、動作モードボタン（不図示）が押下された状態でメインコマンドダイヤル（不図示）が反時計方向に回転されると、動作モードが「１コマ撮影モード」→「連続撮影モード」→「リモコン撮影モード」→「１コマ撮影モード」…の順にサイクリックに変更される。
【００４０】
ステップＳ１０６において、演算回路１０１は、表示装置１１１に指令を出力し、モードパラメータＤに対応する動作モードを示す表示を行わせてステップＳ１０７へ進む。ステップＳ１０７において、演算回路１０１は、動作モードボタンが押下されているか否かを判定する。演算回路１０１は、スイッチＳＷ２から操作信号が継続して入力されている場合にステップＳ１０７を肯定判定してステップＳ１０２へ戻り、操作信号が入力されていない場合にはステップＳ１０７を否定判定し、図３による処理を終了して図２のステップＳ３へ進む。
【００４１】
上述したステップＳ１０２を否定判定して進むステップＳ１０８において、演算回路１０１は、不図示のメインコマンドダイヤルが時計回転の方向に回転操作されているか否かを判定する。演算回路１０１は、スイッチＳＷ４およびスイッチＳＷ５からの入力信号が時計方向の回転を示す場合にステップＳ１０８を肯定判定してステップＳ１０９へ進み、入力信号が時計方向の回転を示さない場合にステップＳ１０８を否定判定してステップＳ１０６へ進む。
【００４２】
ステップＳ１０９において、演算回路１０１は、モードパラメータＤ＝１か否かを判定する。演算回路１０１は、Ｄ＝１の場合にステップＳ１０９を肯定判定してステップＳ１１１へ進み、Ｄ≠１の場合にステップＳ１０９を否定判定してステップＳ１１０へ進む。
【００４３】
ステップＳ１１０において、演算回路１０１は、Ｄから１を減じるとともに、減算後のモードパラメータＤに対応する動作モードに設定変更してステップＳ１０６へ進む。ステップＳ１１１において、演算回路１０１は、Ｄを３にセットするとともに、動作モードをリモコン撮影モードに設定変更してステップＳ１０６へ進む。以上説明したように、動作モードボタン（不図示）が押下された状態でメインコマンドダイヤル（不図示）が時計方向に回転されると、動作モードが「リモコン撮影モード」→「連続撮影モード」→「１コマ撮影モード」→「リモコン撮影モード」…の順にサイクリックに変更される。
【００４４】
上述したステップＳ１０１を否定判定して進むステップＳ１１２において、演算回路１０１は、感度ボタン（不図示）が押下されているか否かを判定する。演算回路１０１は、スイッチＳＷ３から操作信号が入力されている場合にステップＳ１１２を肯定判定してステップＳ１１３へ進み、操作信号が入力されていない場合にステップＳ１１２を否定判定し、図４のステップＳ１３１へ進む。
【００４５】
ステップＳ１１３において、演算回路１０１は、不図示のメインコマンドダイヤルが反時計回転の方向に回転操作されているか否かを判定する。演算回路１０１は、スイッチＳＷ４およびスイッチＳＷ５からの入力信号が反時計方向の回転を示す場合にステップＳ１１３を肯定判定してステップＳ１１４へ進み、入力信号が反時計方向の回転を示さない場合にはステップＳ１１３を否定判定してステップＳ１１８へ進む。
【００４６】
ステップＳ１１４において、演算回路１０１は、ＳＶ＝９か否かを判定する。演算回路１０１は、ＳＶ＝９（撮像感度がＩＳＯ１６００相当）の場合にステップＳ１１４を肯定判定してステップＳ１１６へ進み、ＳＶ≠９の場合にステップＳ１１４を否定判定してステップＳ１１５へ進む。
【００４７】
ステップＳ１１５において、演算回路１０１は、ＳＶに１を加えるとともに、撮像感度を１段階高く変更してステップＳ１１６へ進む。以上説明したように、感度ボタン（不図示）が押下された状態でメインコマンドダイヤル（不図示）が反時計方向に回転されると、演算回路１０１は、感度をＩＳＯ２００相当〜ＩＳＯ１６００相当の範囲で１段階ずつ高くする。
【００４８】
ステップＳ１１６において、演算回路１０１は、表示装置１１１に指令を出力し、撮像感度ＳＶを示す表示を行わせてステップＳ１１７へ進む。ステップＳ１１７において、演算回路１０１は、感度ボタンが押下されているか否かを判定する。演算回路１０１は、スイッチＳＷ３から操作信号が継続して入力されている場合にステップＳ１１７を肯定判定してステップＳ１１３へ戻り、操作信号が入力されていない場合にはステップＳ１１７を否定判定し、図３による処理を終了して図２のステップＳ３へ進む。
【００４９】
上述したステップＳ１１３を否定判定して進むステップＳ１１８において、演算回路１０１は、不図示のメインコマンドダイヤルが時計回転の方向に回転操作されているか否かを判定する。演算回路１０１は、スイッチＳＷ４およびスイッチＳＷ５からの入力信号が時計方向の回転を示す場合にステップＳ１１８を肯定判定してステップＳ１１９へ進み、入力信号が時計方向の回転を示さない場合にステップＳ１１８を否定判定してステップＳ１１６へ進む。
【００５０】
ステップＳ１１９において、演算回路１０１は、ＳＶ＝６か否かを判定する。演算回路１０１は、ＳＶ＝６（撮像感度がＩＳＯ２００相当）の場合にステップＳ１１９を肯定判定してステップＳ１１６へ進み、ＳＶ≠６の場合にステップＳ１１９を否定判定してステップＳ１２０へ進む。
【００５１】
ステップＳ１２０において、演算回路１０１は、ＳＶから１を減じるとともに、撮像感度を１段階低く変更してステップＳ１１６へ進む。以上説明したように、感度ボタン（不図示）が押下された状態でメインコマンドダイヤル（不図示）が時計方向に回転されると、演算回路１０１は、感度をＩＳＯ２００相当〜ＩＳＯ１６００相当の範囲で１段階ずつ低くする。
【００５２】
図４のステップＳ１３１において、演算回路１０１は、不図示のメインコマンドダイヤルが反時計回転の方向に回転操作されているか否かを判定する。演算回路１０１は、スイッチＳＷ４およびスイッチＳＷ５からの入力信号が反時計方向の回転を示す場合にステップＳ１３１を肯定判定してステップＳ１３２へ進み、入力信号が反時計方向の回転を示さない場合にはステップＳ１３１を否定判定してステップＳ１３６へ進む。
【００５３】
ステップＳ１３２において、演算回路１０１は、フラグＢ＝１か否かを判定する。演算回路１０１は、Ｂ＝１（バルブ設定されている）の場合にステップＳ１３２を肯定判定してステップＳ１３５へ進み、Ｂ＝０（バルブ設定されていない）の場合にステップＳ１３２を否定判定してステップＳ１３３へ進む。
【００５４】
ステップＳ１３３において、演算回路１０１は、ＴＶ＝１０か否かを判定する。演算回路１０１は、ＴＶ＝１０（シャッタ速度が１／１０００秒）の場合にステップＳ１３３を肯定判定して図４による処理を終了し、図２のステップＳ３へ進む。演算回路１０１は、ＴＶ≠１０の場合にステップＳ１３３を否定判定し、ステップＳ１３４へ進む。
【００５５】
ステップＳ１３４において、演算回路１０１は、ＴＶに１を加えるとともに、シャッタ速度を１段階速く変更して図４による処理を終了し、図２のステップＳ３へ進む。ステップＳ１３５において、演算回路１０１は、フラグＢを０にセットするとともに、バルブ設定を解除（すなわち、シャッタ速度を１秒）に変更して図４による処理を終了し、図２のステップＳ３へ進む。以上説明したように、メインコマンドダイヤル（不図示）が反時計方向に回転されると、演算回路１０１は、シャッタ速度をバルブ設定→１秒→１／２秒…、→１／１０００秒の順に１段階ずつ速くする。
【００５６】
上述したステップＳ１３１を否定判定して進むステップＳ１３６において、演算回路１０１は、不図示のメインコマンドダイヤルが時計回転の方向に回転操作されているか否かを判定する。演算回路１０１は、スイッチＳＷ４およびスイッチＳＷ５からの入力信号が時計方向の回転を示す場合にステップＳ１３６を肯定判定してステップＳ１３７へ進み、入力信号が時計方向の回転を示さない場合にステップＳ１３６を否定判定してステップＳ１４１へ進む。
【００５７】
ステップＳ１３７において、演算回路１０１は、フラグＢ＝１か否かを判定する。演算回路１０１は、Ｂ＝１（バルブ設定されている）の場合にステップＳ１３７を肯定判定して図４による処理を終了し、図２のステップＳ３へ進む。演算回路１０１は、Ｂ＝０（バルブ設定されていない）の場合にステップＳ１３７を否定判定し、ステップＳ１３８へ進む。
【００５８】
ステップＳ１３８において、演算回路１０１は、ＴＶ＝０か否かを判定する。演算回路１０１は、ＴＶ＝０（シャッタ速度が１秒）の場合にステップＳ１３８を肯定判定してステップＳ１４０へ進み、ＴＶ≠０の場合にステップＳ１３８を否定判定してステップＳ１３９へ進む。
【００５９】
ステップＳ１３９において、演算回路１０１は、ＴＶから１を減じるとともに、シャッタ速度を１段階遅く変更して図４による処理を終了し、図２のステップＳ３へ進む。ステップＳ１４０において、演算回路１０１は、フラグＢを１にセットするとともに、バルブ設定に変更して図４による処理を終了し、図２のステップＳ３へ進む。以上説明したように、メインコマンドダイヤル（不図示）が時計方向に回転されると、演算回路１０１は、シャッタ速度を１／１０００秒→１／５００秒…、→１秒→バルブ設定の順に１段階ずつ遅くする。
【００６０】
ステップＳ１３６を否定判定して進むステップＳ１４１において、演算回路１０１は、不図示のサブコマンドダイヤルが時計回転の方向に回転操作されているか否かを判定する。演算回路１０１は、スイッチＳＷ６およびスイッチＳＷ７からの入力信号が時計方向の回転を示す場合にステップＳ１４１を肯定判定してステップＳ１４２へ進み、入力信号が時計方向の回転を示さない場合にはステップＳ１４１を否定判定してステップＳ１４４へ進む。
【００６１】
ステップＳ１４２において、演算回路１０１は、ＡＶ＝９か否かを判定する。演算回路１０１は、ＡＶ＝９（絞り値がＦ２２）の場合にステップＳ１４２を肯定判定して図４による処理を終了し、図２のステップＳ３へ進む。演算回路１０１は、ＡＶ≠９の場合にステップＳ１４２を否定判定し、ステップＳ１４３へ進む。
【００６２】
ステップＳ１４３において、演算回路１０１は、ＡＶに１を加えるとともに、絞り値を絞り込む方向へ１段階変更して図４による処理を終了し、図２のステップＳ３へ進む。以上説明したように、サブコマンドダイヤル（不図示）が時計方向に回転されると、演算回路１０１は、絞り値をＦ２．８→Ｆ４→、…Ｆ１６→Ｆ２２の範囲で１段ずつ大きくする。
【００６３】
ステップＳ１４１を否定判定して進むステップＳ１４４において、演算回路１０１は、不図示のサブコマンドダイヤルが反時計回転の方向に回転操作されているか否かを判定する。演算回路１０１は、スイッチＳＷ６およびスイッチＳＷ７からの入力信号が反時計方向の回転を示す場合にステップＳ１４４を肯定判定してステップＳ１４５へ進み、入力信号が反時計方向の回転を示さない場合にステップＳ１４４を否定判定して図４による処理を終了し、図２のステップＳ３へ進む。
【００６４】
ステップＳ１４５において、演算回路１０１は、ＡＶ＝３か否かを判定する。演算回路１０１は、ＡＶ＝３（絞り値がＦ２．８）の場合にステップＳ１４５を肯定判定して図４による処理を終了し、図２のステップＳ３へ進む。演算回路１０１は、ＡＶ≠３の場合にステップＳ１４５を否定判定し、ステップＳ１４６へ進む。
【００６５】
ステップＳ１４６において、演算回路１０１は、ＡＶから１を減じるとともに、絞り値を開放方向に１段階変更して図４による処理を終了し、図２のステップＳ３へ進む。以上説明したように、サブコマンドダイヤル（不図示）が反時計方向に回転されると、演算回路１０１は、絞り値をＦ２２→Ｆ１６→、…Ｆ４→Ｆ２．８の範囲で１段ずつ小さくする。
【００６６】
露出演算処理の詳細について、図５のフローチャートを参照して説明する。ステップＳ２０１において、演算回路１０１は、フラグＢ＝０か否かを判定する。演算回路１０１は、Ｂ＝０（バルブ設定されてない）の場合にステップＳ２０１を肯定判定してステップＳ２０２へ進み、Ｂ＝１（バルブ設定されている）の場合にステップＳ２０１を否定判定してステップＳ２０３へ進む。
【００６７】
ステップＳ２０２において、演算回路１０１は、シャッタ速度ＴＶに対応する制御シャッタ速度時間Ｔｃを次式（２）により算出してステップＳ２０３へ進む。ＴＶは、ステップＳ２の設定処理で設定されたシャッタ速度に対応する。
【数２】
Ｔｃ＝２−ＴＶ                                          （２）
【００６８】
ステップＳ２０３において、演算回路１０１は、制御絞りパルスＰｃを絞り込み段数（ＡＶ−３）の関数ｆとして算出し（Ｐｃ＝ｆ（ＡＶ−３））、ステップＳ２０４へ進む。制御絞りパルスＰｃは、ステップＳ２の設定処理で設定された絞り値ＡＶで絞りを係止するまでに、絞り位置検出装置１１６から出力される検出パルス数である。絞り込み段数と絞りパルスとは基本的に比例関係にあるが、絞り開放付近で出力される絞り検出パルス数が多くなるので、絞り込み段数（ＡＶ−３）の関数ｆとして算出する。
【００６９】
ステップＳ２０４において、演算回路１０１は、次式（３）により適正露出に対する露出偏差量Ｅを算出してステップＳ２０５へ進む。
【数３】
Ｅ＝（ＢＶ−３）＋３＋ＳＶ−（ＴＶ＋ＡＶ）          （３）
ここで、（ＢＶ−３）はレンズ透過光量に、３は開放Ｆ値に、ＳＶはステップＳ２の設定処理で設定された撮像感度に、それぞれ対応する。適正露出とは、（ＢＶ＋ＳＶ）＝（ＡＶ＋ＴＶ）が成立する場合をいい、（ＢＶ＋ＳＶ）＞（ＡＶ＋ＴＶ）の場合は露出オーバー、（ＢＶ＋ＳＶ）＜（ＡＶ＋ＴＶ）の場合は露出アンダーである。
【００７０】
ステップＳ２０５において、演算回路１０１は、｜Ｅ｜≦δが成立するか否かを判定する。δはあらかじめ定められる所定値であり、たとえば、アペックス値で１／６〜１／２のいずれかの値とする。演算回路１０１は、｜Ｅ｜≦δが成立する場合にステップＳ２０５を肯定判定してステップＳ２０６へ進み、｜Ｅ｜≦δが成立しない場合にステップＳ２０５を否定判定して図５による処理を終了し、図２のステップＳ１２へ進む。ステップＳ２０５を肯定判定する場合は適正露出とみなせる場合であり、否定判定する場合は適正露出でない場合である。ステップＳ２０６において、演算回路１０１は、露出偏差量Ｅに０をセットして図５による処理を終了し、図２のステップＳ１２へ進む。
【００７１】
表示処理の詳細について、図６のフローチャートを参照して説明する。ステップＳ３０１において、演算回路１０１は、フラグＢ＝１か否かを判定する。演算回路１０１は、Ｂ＝１（バルブ設定されている）の場合にステップＳ３０１を肯定判定してステップＳ３０９へ進み、Ｂ＝０（バルブ設定されていない）の場合にステップＳ３０１を否定判定してステップＳ３０２へ進む。
【００７２】
ステップＳ３０２において、演算回路１０１は、表示装置にシャッタ速度を表示させてステップＳ３０３へ進む。ステップＳ３０３において、演算回路１０１は、露出偏差量Ｅ＝０か否かを判定する。演算回路１０１は、Ｅ＝０（適正露出である）場合にステップＳ３０３を肯定判定してステップＳ３０４へ進み、Ｅ≠０の場合にステップＳ３０３を否定判定してステップＳ３０６へ進む。
【００７３】
ステップＳ３０４において、演算回路１０１は、表示装置１１１に適正露出を示す表示を行わせてステップＳ３０５へ進む。ステップＳ３０５において、演算回路１０１は、表示装置１１１に絞り値および撮像感度をそれぞれ表示させて図６による処理を終了し、図２のステップＳ１３へ進む。なお、ステップＳ１３へ進んだ以降は、次に図６の表示処理が行われるまで表示装置１１１の表示内容が継続される。
【００７４】
ステップＳ３０３を否定判定して進むステップＳ３０６において、演算回路１０１は、露出偏差量Ｅ＞０か否かを判定する。演算回路１０１は、Ｅ＞０（露出オーバーである）場合にステップＳ３０６を肯定判定してステップＳ３０７へ進み、Ｅ＜０（露出アンダーである）の場合にステップＳ３０６を否定判定してステップＳ３０８へ進む。
【００７５】
ステップＳ３０７において、演算回路１０１は、表示装置１１１に露出オーバーを示す表示を行わせてステップＳ３０５へ進む。ステップＳ３０８において、演算回路１０１は、表示装置１１１に露出アンダーを示す表示を行わせてステップＳ３０５へ進む。なお、露出偏差を示す表示は、バーグラフを用いて表示してもよい。
【００７６】
ステップＳ３０１を肯定判定して進むステップＳ３０９において、演算回路１０１は、フラグＲ＝１か否かを判定する。演算回路１０１は、Ｒ＝１（リモコン受光部１０８へ電源供給中）の場合にステップＳ３０９を肯定判定してステップＳ３１０へ進み、Ｒ＝０（リモコン受光部１０８へ電源供給停止中）の場合にステップＳ３０９を否定判定してステップＳ３１１へ進む。
【００７７】
ステップＳ３１０において、演算回路１０１は、表示装置１１１のシャッタ速度表示の代わりにタイム表示を行わせてステップＳ３０５へ進む。ステップＳ３１１において、演算回路１０１は、表示装置１１１のシャッタ速度表示の代わりにバルブ表示を行わせてステップＳ３０５へ進む。
【００７８】
レリーズシーケンス処理について、図７、図８のフローチャートを参照して説明する。図７のステップＳ４０１において、演算回路１０１は、シャッタ駆動回路１１４に指令を出力し、シャッタ１１５の不図示のマグネットに通電して先幕および後幕を保持させる。ステップＳ４０２において、演算回路１０１は、モータ駆動回路１１２に指令を出力し、シーケンスモータ１１３に正転を開始させてステップＳ４０３へ進む。これにより、不図示のミラーのミラーアップおよび絞りの絞り込みが開始される。
【００７９】
ステップＳ４０３において、演算回路１０１は、絞り位置検出装置１１６から入力される検出信号によって駆動絞りパルスＰｋを検出してステップＳ４０４へ進む。ステップＳ４０４において、演算回路１０１は、駆動絞りパルスＰｋと絞り値ＡＶに対応する制御パルスＰｃとの間にＰｋ≧Ｐｃが成立するか否かを判定する。演算回路１０１は、Ｐｋ≧Ｐｃが成立する場合にステップＳ４０４を肯定判定してステップＳ４０５へ進み、Ｐｋ≧Ｐｃが成立しない場合にステップＳ４０４を否定判定する。否定判定する場合には、絞り込みを継続するようにステップＳ４０３へ戻る。
【００８０】
ステップＳ４０５において、演算回路１０１は、絞り係止装置１１７に指令を出力して絞りを係止させ、ステップＳ４０６へ進む。ステップＳ４０６において、演算回路１０１は、ミラーアップが終了したか否かを判定する。演算回路１０１は、シーケンススイッチＳＷ８からオン信号が入力されるとステップＳ４０６を肯定判定してステップＳ４０７へ進み、シーケンススイッチＳＷ８からオン信号が入力されない場合はステップＳ４０６を否定判定する。否定判定する場合には、ミラーアップを継続してステップＳ４０６の判定処理が繰り返される。
【００８１】
ステップＳ４０７において、演算回路１０１は、モータ駆動回路１１２に指令を出力し、シーケンスモータ１１３の正転を停止させてステップＳ４０８へ進む。なお、ミラーアップの終了より先に絞り係止装置１１７によって絞りの係止が終了するように、不図示のシーケンス駆動装置が構成されている。ステップＳ４０８において、演算回路１０１は、計時時間ｔを０にセットしてステップＳ４０９へ進む。ステップＳ４０９において、演算回路１０１は、時間ｔの計時を開始してステップＳ４１０へ進む。
【００８２】
ステップＳ４１０において、演算回路１０１は、シャッタ駆動回路１１４に指令を出力し、シャッタ１１５の不図示のマグネットへの通電を解除して先幕保持を解除させ、ステップＳ４１１へ進む。これによってシャッタ先幕の走行が開始され、撮像素子１０２の撮像面に撮影レンズＬを透過した光が到達する。
【００８３】
ステップＳ４１１において、演算回路１０１は、タイミング回路１０４に駆動信号の発生を開始させてステップＳ４１２へ進む。これにより、撮像素子１０２が電荷蓄積を開始する。
【００８４】
ステップＳ４１２において、演算回路１０１は、フラグＢ＝１か否かを判定する。演算回路１０１は、Ｂ＝１（バルブ設定されている）の場合にステップＳ４１２を肯定判定してステップＳ４１５へ進み、Ｂ＝０（バルブ設定されていない）の場合にステップＳ４１２を否定判定してステップＳ４１３へ進む。
【００８５】
ステップＳ４１３において、演算回路１０１は、計時時間ｔと制御シャッタ速度時間Ｔｃとの間にｔ≧Ｔｃが成立するか否かを判定する。ここで、制御シャッタ速度時間Ｔｃは、ステップＳ１１の露出演算処理で得られるものである。演算回路１０１は、ｔ≧Ｔｃが成立する場合にステップＳ４１３を肯定判定してステップＳ４１４へ進み、ｔ≧Ｔｃが成立しない場合にステップＳ４１３を否定判定して判定処理を繰り返す。この結果、計時時間ｔが制御シャッタ速度時間Ｔｃに達するまで後幕保持が解除されず、露光が継続される。
【００８６】
ステップＳ４１４において、演算回路１０１は、シャッタ駆動回路１１４に指令を出力し、シャッタ１１５の不図示のマグネットへの通電を解除して後幕保持を解除させ、図８のステップＳ４３１へ進む。これによってシャッタ後幕の走行が開始され、撮像素子１０２へ入射する被写体光が遮断される。
【００８７】
バルブ設定されている場合は、以下のように後幕保持を解除するまでの時間が制御される。ステップＳ４１５において、演算回路１０１は、フラグＲ＝０か否かを判定する。演算回路１０１は、Ｒ＝０（リモコン受光部１０８へ電源供給停止中）の場合にステップＳ４１５を肯定判定してステップＳ４１６へ進み、Ｒ＝１（リモコン受光部１０８へ電源供給中）の場合にステップＳ４１５を否定判定してステップＳ４１７へ進む。
【００８８】
ステップＳ４１６において、演算回路１０１は、レリーズスイッチＳＷ１がＯＦＦ操作されたか否かを判定する。演算回路１０１は、レリーズスイッチＳＷ１から操作信号が入力されなくなった場合にステップＳ４１６を肯定判定してステップＳ４１４へ進み、レリーズスイッチＳＷ１から操作信号が継続して入力されている場合は、ステップＳ４１６を否定判定して判定処理を繰り返す。この結果、レリーズスイッチＳＷ１がＯＦＦされるまで後幕保持が解除されず、露光が継続される（バルブ動作）。
【００８９】
ステップＳ４１７において、演算回路１０１は、電圧信号Ｖｒｅｆの電圧値を検出してステップＳ４１８へ進む。ステップＳ４１８において、演算回路１０１は、上式（１）を用いてカメラ内の温度θ（単位は℃）を算出し、ステップＳ４１９へ進む。ステップＳ４１９において、演算回路１０１は、露光が無駄にならない上限の露光時間、すなわち、リモコン制限時間ＴＲ（単位は秒）を、温度θと撮像感度ＳＶとの関数として次式（４）を用いて算出する。
【数４】
ＴＲ＝２（７−ＳＶ）×２−（θ−３２）／８×１５×６０              （４）
上式（４）は、温度の上昇とともに増加する暗電流が８℃の温度上昇で２倍になること、撮像感度ＳＶ＝７（ＩＳＯ４００相当）でθ＝３２℃の場合に、撮像素子１０２の出力信号が飽和レベルに達しない範囲で暗電流による蓄積電荷を最大にする時間が１５分であることを示す。このリモコン制限時間ＴＲは、撮像素子１０２のダイナミックレンジを１００％確保するために定められる上限値である。なお、上記飽和レベルは、撮像素子１０２の全画素のうち、暗電流による蓄積電荷が基準レベル以上となる画素の割合が所定値の状態をいう。撮像素子１０２に流れる暗電流の大きさは撮像素子の特性であって、温度や感度に依存して変化し、撮像素子ごとに異なる。
【００９０】
ステップＳ４２０において、演算回路１０１は、リモコン受光部１０８によってリモコン装置１０９から送信された操作信号が受信されたか否かを判定する。演算回路１０１は、リモコン受光部１０８から出力信号が入力されるとステップＳ４２０を肯定判定してステップＳ４１４へ進み、リモコン受光部１０８から信号入力がない場合にステップＳ４２０を否定判定し、ステップＳ４２１へ進む。これにより、リモコン装置１０９から操作信号が送信されるまで後幕保持が解除されず、露光が継続される（タイム動作）。
【００９１】
ステップＳ４２１において、演算回路１０１は、計時時間ｔとリモコン制限時間ＴＲとの間にｔ≧ＴＲが成立するか否かを判定する。演算回路１０１は、ｔ≧ＴＲが成立する場合にステップＳ４２１を肯定判定してステップＳ４１４へ進み、ｔ≧ＴＲが成立しない場合にステップＳ４２１を否定判定し、ステップＳ４１７へ戻る。この結果、リモコン装置１０９から操作信号が送信される前であっても、計時時間ｔがリモコン制限時間ＴＲに達すると後幕保持が解除され、露光が終了する。
【００９２】
図８のステップＳ４３１において、演算回路１０１は、所定時間のウエイトをおいてステップＳ４３２へ進む。ウエイト時間は、後幕が撮像素子１０２の撮像領域を完全に遮光し、走行を完了するまでに要する時間とする。このウエイトの間、撮像素子１０２の撮像動作は継続される。ステップＳ４３２において、演算回路１０１は、タイミング回路１０４による撮像素子１０２の駆動を停止させてステップＳ４３３へ進む。この結果、撮像素子１０２は電荷蓄積を終了する。ステップＳ４３３において、演算回路１０１は、時間ｔの計時を停止してステップＳ４３４へ進む。
【００９３】
ステップＳ４３４において、演算回路１０１は、モータ駆動回路１１２に指令を出力し、シーケンスモータ１１３に逆転を開始させてステップＳ４３５へ進む。これにより、不図示のミラーのミラーダウンおよび絞りの開放復帰が開始される。ステップＳ４３５において、演算回路１０１は、タイミング回路１０４に指令を出力し、撮像素子１０２から画像信号の読み出しを行わせ、ステップＳ４３６へ進む。これにより、撮像素子１０２から蓄積電荷による画像信号が出力され、Ａ／Ｄ変換回路１０３でデジタルデータに変換された後にバッファメモリ１０６に一旦格納される。
【００９４】
ステップＳ４３６において、演算回路１０１は、デジタルデータをＡＳＩＣ（画像処理回路）１０５へ送り、画像処理（ホワイトバランス調整、輪郭補償、ガンマ補正など）を行わせてステップＳ４３７へ進む。ステップＳ４３７において、演算回路１０１は、ＡＳＩＣ１０５に圧縮処理を行わせてステップＳ４３８へ進む。ステップＳ４３８において、演算回路１０１は、圧縮処理後の画像データを記録媒体１０７に記録してステップＳ４３９へ進む。
【００９５】
ステップＳ４３９において、演算回路１０１は、ミラーダウンが終了したか否かを判定する。演算回路１０１は、シーケンススイッチＳＷ８からオン信号が入力されるとステップＳ４３９を肯定判定してステップＳ４４０へ進み、シーケンススイッチＳＷ８からオン信号が入力されない場合は、ステップＳ４３９を否定判定してステップＳ４３９の判定処理を繰り返す。
【００９６】
ステップＳ４４０において、演算回路１０１は、モータ駆動回路１１２に指令を出力し、シーケンスモータ１１３の逆転を停止させてステップＳ４４１へ進む。ステップＳ４４１において、演算回路１０１は、フラグＲ＝１か否かを判定する。演算回路１０１は、Ｒ＝１（リモコン受光部１０８へ電源供給中）の場合にステップＳ４４１を肯定判定してステップＳ４４２へ進み、Ｒ＝０（リモコン受光部１０８へ電源供給停止中）の場合にステップＳ４４１を否定判定して図８による処理を終了し、図２のステップＳ１８へ進む。
【００９７】
ステップＳ４４２において、演算回路１０１は、リモコン受光部１０８によってリモコン装置１０９から送信された操作信号が受信されたか否かを判定する。演算回路１０１は、リモコン受光部１０８から出力信号が入力されるとステップＳ４４２を肯定判定してステップＳ４４３へ進み、リモコン受光部１０８から信号入力がない場合にステップＳ４４２を否定判定して図８による処理を終了し、図２のステップＳ１８へ進む。
【００９８】
ステップＳ４４３において、演算回路１０１は、リモコン受光部１０８へリセットコマンドを出力し、出力信号をリセットさせて図８による処理を終了し、図２のステップＳ１８へ進む。レリーズシーケンス処理の最後に出力信号をリセットさせるのは、レリーズシーケンス処理中にリモコン装置１０９から不要なリモコン操作信号が送信されたとしても、この操作信号によるリモコン受光部１０８からの出力信号をリセットできるからである。
【００９９】
以上説明した実施の形態についてまとめる。
（１）電子カメラは、リモコン撮影モードとバルブ設定との双方が設定された場合にタイム動作を行う。タイム動作は通常、リモコン装置１０９からの操作信号によって露光を開始し、リモコン装置１０９からの次の操作信号によって露光を終了する。
【０１００】
（２）電子カメラにリモコン制限時間ＴＲを設け、露光開始後にリモコン装置１０９から次の操作信号が送信される前であっても、計時時間ｔがリモコン制限時間ＴＲに達すると露光を終了するようにした。リモコン制限時間ＴＲは、撮像素子１０２による電荷蓄積信号が飽和レベルに達しない範囲で撮像素子１０２のダイナミックレンジを１００％確保するように設ける。この結果、撮像素子１０２の出力信号が飽和レベルに達したにもかかわらず、無駄な電荷蓄積（露光）を続けて行うことが防止される。
【０１０１】
（３）リモコン制限時間ＴＲは、撮像素子１０２に設定されている撮像感度ＳＶとカメラ内の温度θとの関数として上式（４）で算出し、温度θは測光装置１１０から出力される絶対温度に比例した電圧信号Ｖｒｅｆから求めるようにした。これにより、撮像感度ＳＶの設定変更をしたり、カメラが使用される温度環境によって温度θが変化して撮像素子１０２に流れる暗電流の値が変化する場合でも、リモコン制限時間ＴＲを暗電流の変化に応じて適切に変更できるから、固定パターンノイズの影響を受けず、無駄な電荷蓄積を行うことが防止される。
【０１０２】
上述した説明では、リモコン制限時間ＴＲをカメラ内の温度θと設定された撮像感度ＳＶとの関数として算出するようにしたが、温度θもしくは撮像感度ＳＶの一方の関数として算出するようにしてもよい。たとえば、温度θのみの関数とする場合の例を次式（５）に示す。電子カメラで使用される撮像感度範囲ＳＶ６〜ＳＶ９のうち、暗電流が最も大きくなる撮像感度ＳＶ＝９（ＩＳＯ１６００相当）を上式（４）に代入したものである。
【数５】
ＴＲ＝２−（θ−３２）／８×３．７５×６０                      （５）
上式（５）は、θ＝３２℃において撮像素子１０２の出力信号が飽和レベルに達しない範囲で暗電流による蓄積電荷を最大にする時間が３．７５分であることを示す。
【０１０３】
一方、リモコン制限時間ＴＲを撮像感度ＳＶのみの関数とする場合の例を次式（６）に示す。電子カメラの仕様で定められる温度範囲０℃〜４０℃のうち、暗電流が最も大きくなる温度４０℃を上式（４）代入したものである。
【数６】
ＴＲ＝２（７−ＳＶ）×７．５×６０                            （６）
上式（６）は、撮像感度ＳＶ＝７（ＩＳＯ４００相当）において撮像素子１０２の出力信号が飽和レベルに達しない範囲で暗電流による蓄積電荷を最大にする時間が７．５分であることを示す。
【０１０４】
このように、リモコン制限時間ＴＲを温度θのみの関数として算出する場合は、上式（５）のように撮像感度ＳＶを任意の値（上記の例ではＳＶ＝９）に固定する。任意の値は、電子カメラで設定可能にされている撮像感度範囲の中から実際の使用条件に応じて適宜決定してよい。上式（５）のように、暗電流が最も大きくなる撮像感度で算出すると、撮像感度の設定を変更した場合でも、撮像素子１０２の出力信号が飽和することがない。
【０１０５】
また、リモコン制限時間ＴＲを撮像感度のみの関数として算出する場合は、上式（６）のように温度θを任意の値（上記の例では４０℃）に固定する。任意の値は、電子カメラの仕様で定められる温度範囲０℃〜４０℃のうち、実際に使用される温度に応じて適宜決定してよい。上式（６）のように、暗電流が最も大きくなる温度で算出すると、使用温度が変化した場合でも、撮像素子１０２の出力信号が飽和することがない。
【０１０６】
さらにまた、リモコン制限時間ＴＲを関数としないで固定値として定めてもよい。次式（７）は、上式（４）に撮像感度ＳＶ＝７、および温度２４℃をそれぞれ代入したものである。
【数７】
ＴＲ＝３０×６０                                          （７）
温度θの値は、電子カメラが実際に使用される温度に応じて適宜決定してよいし、撮像感度ＳＶの値は、電子カメラの使用条件に応じて適宜決定してよい。
【０１０７】
リモコン撮影モードおよびバルブ設定によるタイム動作を例に説明したが、非継続で複数の操作信号が入力される場合であれば、リモコン撮影モードと異なる場合にも本発明を適用してよい（たとえば、レリーズボタンの押下操作で露光開始、次の押下操作で露光終了する場合）。
【０１０８】
上述した説明では、露光開始後の計時時間ｔがリモコン制限時間ＴＲに到達した場合、次の操作信号が入力される前に露光を終了し、結果的に次の操作信号を無効にした。この代わりに、露光終了後の次の操作信号によって新たな撮影の露光を開始させてもよい。
【０１０９】
以上の説明では、一眼レフ電子カメラを例に説明したが、一眼レフでない電子カメラに本発明を適用することもできる。
【０１１０】
上記の説明では、カメラ内の温度を検出するために測光装置１１０から出力される絶対温度に比例した電圧信号Ｖｒｅｆを用いるようにしたが、温度検出素子としてサーミスタなどを用いて温度を検出してもよい。
【０１１１】
上述したタイム動作を行う場合に、露光時間もしくは露光残り時間を表示するようにしてもよい。露光時間は、露光開始後の計時時間ｔに対応する。露光残り時間は、（リモコン制限時間ＴＲ）−（計時時間ｔ）に対応する。図９は、露光残り時間を表示する場合のレリーズシーケンス処理を説明するフローチャートである。図７のフローチャートに比べて、ステップＳ４１９の次にステップＳ４１９Ａが追加されている点が異なる。ステップＳ４１９Ａにおいて、演算回路１０１は表示装置１１１に指令を出力し、タイム表示に代えて（ＴＲ−ｔ）を表示させてステップＳ４２０へ進む。なお、タイム表示とともに露光残り時間を表示させてもよい。
【０１１２】
上述したバルブ動作時にも、タイム動作時と同様に制限時間ＴＲによって露光時間を制限してもよい。図１０は、露光開始後に次のレリーズ操作信号が入力される前であっても、計時時間ｔが制限時間ＴＲに達すると露光を終了するようにしたレリーズシーケンス処理を説明するフローチャートである。図７のフローチャートに比べて、ステップＳ４１５の次にステップＳ４１５Ａ〜ステップＳ４１５Ｄが追加されている点が異なる。
【０１１３】
図１０のステップＳ４１５Ａにおいて、演算回路１０１は、電圧信号Ｖｒｅｆの電圧値を検出してステップＳ４１５Ｂへ進む。ステップＳ４１５Ｂにおいて、演算回路１０１は、上式（１）を用いてカメラ内の温度θ（単位は℃）を算出し、ステップＳ４１５Ｃへ進む。ステップＳ４１５Ｃにおいて、演算回路１０１は、飽和レベルに達しない範囲で暗電流による蓄積電荷を最大にする露光時間（制限時間ＴＲ）を算出し、ステップＳ４１５Ｄへ進む。ステップＳ４１５Ｄにおいて、演算回路１０１は、計時時間ｔと制限時間ＴＲとの間にｔ≧ＴＲが成立するか否かを判定する。演算回路１０１は、ｔ≧ＴＲが成立する場合にステップＳ４１５Ｄを肯定判定してステップＳ４１４へ進み、ｔ≧ＴＲが成立しない場合にステップＳ４１５Ｄを否定判定し、ステップＳ４１６へ進む。この結果、露光開始後にレリーズ操作信号が入力される前であっても、計時時間ｔが制限時間ＴＲに達すると後幕保持が解除され、露光が終了する。
【０１１４】
なお、図１０の処理に対して図９と同様に露光残り時間を表示させてもよい。この場合には、タイム動作時とバルブ動作時のそれぞれにおいて露光残り時間を表示させることができる。
【０１１５】
特許請求の範囲における各構成要素と、発明の実施の形態における各構成要素との対応について説明する。第１の撮像信号は、たとえば、ステップＳ１４で判定されるリモコン信号が対応する。第２の撮像信号は、たとえば、ステップＳ４２０で判定されるリモコン信号が対応する。所定時間は、たとえば、制限時間ＴＲが対応する。露光開始指示手段、露光終了指示手段、所定時間変更手段および表示制御手段は、たとえば、演算回路１０１によって構成される。時間表示手段は、たとえば、表示装置１１１によって構成される。なお、本発明の特徴的な機能を損なわない限り、各構成要素は上記構成に限定されるものではない。
【０１１６】
【発明の効果】
本発明による電子カメラでは、撮像素子の特性により決定される所定時間以上の露光をしないようにしたので、いわゆるタイム撮影時の無駄な露光を止めることができる。
【図面の簡単な説明】
【図１】本発明の一実施の形態による電子カメラの構成を示すブロック図である。
【図２】電子カメラの演算回路で行われるカメラ動作の処理の流れを説明するフローチャートである。
【図３】設定処理の詳細を説明するフローチャートである。
【図４】設定処理の詳細を説明するフローチャートである。
【図５】露出演算処理の詳細について説明するフローチャートである。
【図６】表示処理の詳細について説明するフローチャートである。
【図７】レリーズシーケンス処理について説明するフローチャートである。
【図８】レリーズシーケンス処理について説明するフローチャートである。
【図９】レリーズシーケンス処理の変形例について説明するフローチャートである。
【図１０】レリーズシーケンス処理の変形例について説明するフローチャートである。
【符号の説明】
１０１…演算回路、                  １０２…撮像素子、
１０４…タイミング回路、            １０８…リモコン受光部、
１０９…リモコン装置、              １１０…測光装置、
１１１…表示装置、
ＳＷ１…レリーズスイッチ、
ＳＷ２…動作モードボタンに連動するスイッチ、
ＳＷ３…感度ボタンに連動するスイッチ、
ＳＷ４、ＳＷ５…メインコマンドダイヤルに連動するスイッチ、
ＳＷ６、ＳＷ７…サブコマンドダイヤルに連動するスイッチ
【図１】
2005020387.tif 000003
【図２】
2005020387.tif 000004
【図３】
2005020387.tif 000005
【図４】
2005020387.tif 000006
【図５】
2005020387.tif 000007
【図６】
2005020387.tif 000008
【図７】
2005020387.tif 000009
【図８】
2005020387.tif 000010
【図９】
2005020387.tif 000011
【図１０】
2005020387.tif 000012